(57)【要約】【課題】簡単かつより正確に健康状態を把握でき、関連する情報をユーザに提供可能な情報提供装置、情報提供システム及びプログラムを提供する。【解決手段】携帯端末４は、ペットの尿に関する測定データを取得する測定取得部４５と、質問内容及び複数の選択肢とを含む複数の問診データを記憶する問診データ記憶部７４からペットの尿に関連する問診データを出力し質問内容に対する一の選択肢を受け付ける問診処理部４７と、一の選択肢を含む複数の選択肢と測定データとの組合せに対応付けて判定データを記憶する判定データ記憶部７５から測定取得部４５が取得した測定データと問診処理部４７が受け付けた一の選択肢とに対する判定データを抽出する判定抽出部４８と、判定データに対応した判定対応データである提供データを記憶する提供データ記憶部７６から判定抽出部４８が抽出した判定データに基づく提供データを抽出して出力する情報出力部５１と、を備える。【選択図】図４
2018156123.tif 000002
【特許請求の範囲】
【請求項１】
生体の測定対象に関する測定データを取得する測定データ取得手段と、
質問データと、前記質問データに対する複数の質問回答データとを含む複数の問診データを記憶する問診データ記憶部から、前記測定対象に関連する前記問診データを出力し、前記質問データに対する一の質問回答データを受け付ける問診手段と、
前記一の質問回答データを含む前記複数の質問回答データと前記測定データとの組合せに対応付けて判定データを記憶する判定データ記憶部から、前記測定データ取得手段が取得した前記測定データと、前記問診手段が受け付けた前記一の質問回答データとに対する判定データを抽出する判定抽出手段と、
前記判定データに対応しユーザに提供する判定対応データである提供データを記憶する提供データ記憶部から、前記判定抽出手段が抽出した前記判定データに基づく前記提供データを抽出して出力する情報提供手段と、
を備える情報提供装置。
【請求項２】
請求項１に記載の情報提供装置において、
前記測定データ取得手段は、前記測定対象を撮影した撮影画像から前記測定データを取得すること、
を特徴とする情報提供装置。
【請求項３】
請求項１又は請求項２に記載の情報提供装置において、
前記問診データ記憶部及び前記提供データ記憶部は、前記生体の種類ごとに有すること、
を特徴とする情報提供装置。
【請求項４】
請求項１から請求項３までのいずれかに記載の情報提供装置において、
前記判定抽出手段により抽出された前記判定データを、前記測定データ取得手段が前記測定データを取得した日時を示す日時情報に対応付けて蓄積して記憶する判定結果蓄積手段と、
前記判定結果蓄積手段により蓄積された複数の前記判定データを、時系列に並べて分析する分析手段と、
を備え、
前記情報提供手段は、前記分析手段による分析結果に基づく前記提供データを、前記提供データ記憶部から抽出して出力すること、
を特徴とする情報提供装置。
【請求項５】
請求項１から請求項４までのいずれかに記載の情報提供装置において、
前記生体の健康状態を示す状態データを記憶した状態データ記憶部を備え、
前記情報提供手段は、前記状態データ記憶部の前記状態データと、前記判定データとに基づく前記提供データを、前記提供データ記憶部から抽出して出力すること、
を特徴とする情報提供装置。
【請求項６】
請求項１から請求項５までのいずれかに記載の情報提供装置と、
前記情報提供装置に対して通信可能に接続され、前記問診データ記憶部、前記判定データ記憶部及び提供データ記憶部の少なくともいずれかを記憶した情報格納サーバと、
を備える情報提供システム。
【請求項７】
請求項１から請求項５までのいずれかに記載の情報提供装置としてコンピュータを機能させるためのプログラム。
【発明の詳細な説明】
【技術分野】
【０００１】
本発明は、情報提供装置、情報提供システム及びプログラムに関する。
【背景技術】
【０００２】
従来、ペットの日々の生体情報や外見情報に基づいて、現在の健康状態から予測される病気を判断する装置が開示されている（例えば、特許文献１）。
【先行技術文献】
【特許文献】
【０００３】
【特許文献１】特開２００６−３１８３２５号公報
【発明の概要】
【発明が解決しようとする課題】
【０００４】
ペットに限らず、人も含めて、簡単かつより正確に、健康状態を把握したいニーズがある。また、把握した健康状態によって、有用な情報が提供されると便利である。
【０００５】
そこで、本発明は、簡単かつより正確に健康状態を把握でき、関連する情報をユーザに提供可能な情報提供装置、情報提供システム及びプログラムを提供することを目的とする。
【課題を解決するための手段】
【０００６】
本発明は、以下のような解決手段により、前記課題を解決する。
第１の発明は、生体の測定対象に関する測定データを取得する測定データ取得手段と、質問データと、前記質問データに対する複数の質問回答データとを含む複数の問診データを記憶する問診データ記憶部から、前記測定対象に関連する前記問診データを出力し、前記質問データに対する一の質問回答データを受け付ける問診手段と、前記一の質問回答データを含む前記複数の質問回答データと前記測定データとの組合せに対応付けて判定データを記憶する判定データ記憶部から、前記測定データ取得手段が取得した前記測定データと、前記問診手段が受け付けた前記一の質問回答データとに対する判定データを抽出する判定抽出手段と、前記判定データに対応しユーザに提供する判定対応データである提供データを記憶する提供データ記憶部から、前記判定抽出手段が抽出した前記判定データに基づく前記提供データを抽出して出力する情報提供手段と、を備える情報提供装置である。
第２の発明は、第１の発明の情報提供装置において、前記測定データ取得手段は、前記測定対象を撮影した撮影画像から前記測定データを取得すること、を特徴とする情報提供装置である。
第３の発明は、第１の発明又は第２の発明の情報提供装置において、前記問診データ記憶部及び前記提供データ記憶部は、前記生体の種類ごとに有すること、を特徴とする情報提供装置である。
第４の発明は、第１の発明から第３の発明までのいずれかの情報提供装置において、前記判定抽出手段により抽出された前記判定データを、前記測定データ取得手段が前記測定データを取得した日時を示す日時情報に対応付けて蓄積して記憶する判定結果蓄積手段と、前記判定結果蓄積手段により蓄積された複数の前記判定データを、時系列に並べて分析する分析手段と、を備え、前記情報提供手段は、前記分析手段による分析結果に基づく前記提供データを、前記提供データ記憶部から抽出して出力すること、を特徴とする情報提供装置である。
第５の発明は、第１の発明から第４の発明までのいずれかの情報提供装置において、前記生体の健康状態を示す状態データを記憶した状態データ記憶部を備え、前記情報提供手段は、前記状態データ記憶部の前記状態データと、前記判定データとに基づく前記提供データを、前記提供データ記憶部から抽出して出力すること、を特徴とする情報提供装置である。
第６の発明は、第１の発明から第５の発明までのいずれかの情報提供装置と、前記情報提供装置に対して通信可能に接続され、前記問診データ記憶部、前記判定データ記憶部及び提供データ記憶部の少なくともいずれかを記憶した情報格納サーバと、を備える情報提供システムである。
第７の発明は、第１の発明から第５の発明までのいずれかの情報提供装置としてコンピュータを機能させるためのプログラムである。
【発明の効果】
【０００７】
本発明によれば、簡単かつより正確に健康状態を把握でき、関連する情報をユーザに提供可能な情報提供装置、情報提供システム及びプログラムを提供することができる。
【図面の簡単な説明】
【０００８】
【図１】本実施形態に係る検査装置の斜視図である。
【図２】本実施形態に係る尿検査紙の具体例を示す図である。
【図３】本実施形態に係る撮影ボックスの上面図及び断面図である。
【図４】本実施形態に係る検査システムの機能ブロック図である。
【図５】本実施形態に係る検査装置を用いた尿検査の流れを説明するための図である。
【図６】本実施形態に係る携帯端末での表示例を示す図である。
【図７】本実施形態に係る携帯端末の尿検査処理を示すフローチャートである。
【図８】本実施形態に係る携帯端末の色判定処理（その１）を示すフローチャートである。
【図９】本実施形態に係る携帯端末の色判定処理（その２）を示すフローチャートである。
【図１０】本実施形態に係る検査システムの情報提供処理を示すフローチャートである。
【図１１】本実施形態に係る問診データの例及び携帯端末での表示例を示す図である。
【図１２】本実施形態に係る情報提供サーバの記憶部の例を示す図である。
【発明を実施するための形態】
【０００９】
以下、本発明を実施するための形態について、図を参照しながら説明する。なお、これは、あくまでも一例であって、本発明の技術的範囲は、これに限られるものではない。
【００１０】
（実施形態）
＜検査装置９＞
図１は、本実施形態に係る検査装置９の斜視図である。
図２は、本実施形態に係る尿検査紙１の具体例を示す図である。
図３は、本実施形態に係る撮影ボックス３の上面図及び断面図である。
図１に示す検査装置９は、ユーザが飼育している犬や猫等のペット（生体）の尿（測定対象）を、家庭内で採取して検査するための装置であり、これによって、ユーザがペットの健康状態を把握するものである。
検査装置９は、尿検査紙１（検査部材）と、撮影ボックス３（位置合わせ部材）と、携帯端末４（撮影装置、情報提供装置）とを備える。
【００１１】
ユーザは、まず、尿検査紙１にペットの尿を付着させ、その尿検査紙１の上に撮影ボックス３を載置する。次に、ユーザは、携帯端末４を、尿検査紙１の検査領域１０、チャート領域２０及びマーク２８（目印）を撮影できるように撮影ボックス３の上に載置して、携帯端末４に尿検査紙１を撮影させる。
ここで、尿は、血液等と同様に、体の状態を把握することができる体液である。また、尿は、血液のように、採取するために体に針を刺す必要がなく、また、採取のための免許等も不要であるため、家庭内で採取するのに適している。
そして、ペットは、人と比較して一般的に病気の進行度合いが早い。そのため、高い頻度で行うことができる家庭内での検査は、病気の早期発見や治療中の経過観察等が簡易に行えるという利点もあり、簡易に行うことができるため、ペットの健康状態を把握するのに有用である。
【００１２】
＜尿検査紙１＞
尿検査紙１（１ａ，１ｂ）は、例えば、横方向Ｘが２００ｍｍ程度で、奥行方向Ｙが９０ｍｍ程度の大きさのインクジェット用紙である。
図２（Ａ）及び（Ｂ）に示すように、尿検査紙１ａ，１ｂは、検査領域１０と、チャート領域２０と、マーク２８と、ボックス載置線２９（位置合わせ）とを備える。
図２（Ａ）は、尿検査紙１ａの例を示し、図２（Ｂ）は、尿検査紙１ｂの例を示す。ここで、尿検査紙１ａと、尿検査紙１ｂとは、チャート領域２０に有するカラーチャート（色パターン情報）の内容のみが異なり、他の部分は、同じである。
【００１３】
検査領域１０は、試験紙１２〜１４（検出部）を載置する領域である。試験紙１２〜１４は、尿に含まれる各物質に反応する。試験紙１２は、ｐＨ（水素イオン指数）を、試験紙１３は、タンパク質を、試験紙１４は、ブドウ糖を、それぞれの色（色調）変化によって測定値を示す。なお、試験紙１２及び試験紙１３は、尿を付着させたらすぐに反応するため、尿を付着した直後に色変化を見るのが望ましい。また、試験紙１４は、尿を付着させてしばらく時間が経過して反応するため、尿を付着させた後、例えば、６０秒経過後に色変化を見るのが望ましい。
【００１４】
チャート領域２０は、例えば、インクジェット印刷によって、カラーチャートが印刷された領域である。
図２（Ａ）に示す尿検査紙１ａは、チャート領域２０に、色補正用カラーチャート２１を有する。色補正用カラーチャート２１は、赤、青、緑、黄色、白、黒等の様々な異なる色の正方形を、テーブル状に配置したものである。
他方、図２（Ｂ）に示す尿検査紙１ｂは、チャート領域２０に、判定用カラーチャート２２〜２４を有する。判定用カラーチャート２２は、試験紙１２に対応し、判定用カラーチャート２３は、試験紙１３に対応し、判定用カラーチャート２４は、試験紙１４に対応する。判定用カラーチャート２２〜２４は、対応する試験紙１２〜１４が反応することにより変化可能な複数の色パターンを、横方向Ｘに順番に並べて配置したものである。
【００１５】
マーク２８は、携帯端末４が撮影した撮影画像において、角度等の位置合わせに用い、また、検査領域１０及びチャート領域２０を検出するのに用いる。マーク２８は、この例では、矩形形状であるが、これに限定されず、例えば、ＱＲコード（登録商標）に代表される二次元コード等であってもよい。
ボックス載置線２９は、撮影ボックス３を載置する際の位置合わせのための線である。ボックス載置線２９は、この例では、撮影ボックス３の形状に合ったものになっている。
【００１６】
＜撮影ボックス３＞
撮影ボックス３は、例えば、横方向Ｘが２００ｍｍ程度、奥行方向Ｙが１００ｍｍ程度で、高さ方向Ｚが９０ｍｍ程度の大きさの箱状を形成するものである。撮影ボックス３は、樹脂等によって形成される。
図３（Ａ）に示すように、撮影ボックス３は、上面３１に携帯端末４を載置可能なように、上面３１が平面を形成する（保持部）。そして、上面３１には、携帯端末４のカメラ６６（後述する）等のための貫通穴３２を有する。
【００１７】
図３（Ｂ）は、図３（Ａ）に示す撮影ボックス３のＡ−Ａ断面図である。撮影ボックス３は、開口部３０を下面に有し、その内部は空洞になっている。
貫通穴３２は、尿検査紙１のボックス載置線２９に合わせて撮影ボックス３を載置した場合に、検査領域１０、チャート領域２０及びマーク２８を撮影できる位置に設けられる。貫通穴３２は、カメラ６６と、フラッシュ部６７とを含む大きさになっている。また、貫通穴３２の下側には、貫通穴３２を覆うようにフィルム３３（光拡散部材）を有する。
フィルム３３は、例えば、無色であって透光性を有する素材からなる。フィルム３３は、例えば、合成樹脂等の高分子成分等を薄い膜状に成型したものである。フィルム３３は、フラッシュ部６７から発する光を拡散させる役割を果たす。
【００１８】
尿検査紙１の上に撮影ボックス３を載置すると、撮影ボックス３の内部は、貫通穴３２からの光が到達する。そこで、携帯端末４のカメラ６６を貫通穴３２の位置にして携帯端末４を載置することで、撮影ボックス３の内部は、暗部になる。そして、その状態で携帯端末４が撮影することで、撮影画像は、携帯端末４から発せられる光以外の外光の影響を受けないものにできる。
また、尿検査紙１に設けられた試験紙１２〜１４の特性上、携帯端末４は、時間を空けて複数回撮影する必要がある。そこで、撮影ボックス３を使用して撮影することで、携帯端末４は、同じ位置かつ条件での撮影が可能になる。
【００１９】
＜検査システム１００＞
次に、検査装置９の携帯端末４を使用した検査システム１００について説明する。
図４は、本実施形態に係る検査システム１００の機能ブロック図である。
検査システム１００は、携帯端末４と、情報提供サーバ７とを備え、携帯端末４と、情報提供サーバ７とは、通信ネットワークＮを介して接続されている。
【００２０】
＜携帯端末４＞
携帯端末４は、尿検査紙１の上に撮影ボックス３が載置されている場合に、図１に示すように、撮影ボックス３の上に載置して、尿検査紙１を撮影するための装置である。また、携帯端末４は、撮影した尿検査紙１から得られる測定データ（検査データ）に基づく情報を出力する。
携帯端末４は、例えば、スマートフォンに代表されるコンピュータの機能を併せ持った携帯電話機である。携帯端末４は、その他、タブレット等の携帯型の端末であってもよい。
図４に示すように、携帯端末４は、制御部４０と、記憶部６０と、タッチパネルディスプレイ６５と、カメラ６６（撮影手段）と、フラッシュ部６７と、タイマ部６８（時間計測手段）と、通信インタフェース部６９とを備える。
【００２１】
制御部４０は、携帯端末４の全体を制御するＣＰＵ（中央処理装置）である。制御部４０は、記憶部６０に記憶されているＯＳ（オペレーティングシステム）や、各種のアプリケーションプログラムを適宜読み出して実行することにより、上述したハードウェアと協働し、各種機能を実行する。
制御部４０は、撮影処理部４１（撮影処理手段）と、画像取得部４２と、画像補正部４３（補正手段）と、色判定部４４（色判定手段）と、測定取得部４５（測定データ取得手段）と、問診処理部４７（問診手段）と、判定抽出部４８（判定抽出手段）と、蓄積処理部４９（判定結果蓄積手段）と、分析部５０（分析手段）と、情報出力部５１（情報提供手段）とを備える。
【００２２】
撮影処理部４１は、タイマ部６８の計測によって指定時間になった場合に、カメラ６６による撮影を実行させる。
画像取得部４２は、カメラ６６が撮影した撮影画像を取得する。
画像補正部４３は、取得した撮影画像からマーク２８を認識する。また、画像補正部４３は、認識したマーク２８の位置に応じて、取得した撮影画像の角度を補正し、検査領域１０及びチャート領域２０を検出する。
色判定部４４は、検出したチャート領域２０のカラーチャート（色補正用カラーチャート２１又は判定用カラーチャート２２〜２４）を用いて、検査領域１０の試験紙１２〜１４の色を判定する。
測定取得部４５は、色判定部４４による判定結果に基づいて、各項目の測定値を得る。
【００２３】
問診処理部４７は、各項目に関連する問診データを、情報提供サーバ７の問診データ記憶部７４から取得して、質問内容（質問データ）と、複数の選択肢（質問回答データ）とを出力する。そして、問診処理部４７は、ユーザに選択された１つの選択肢を受け付ける。
判定抽出部４８は、測定値と、受け付けた質問内容に対する１つの選択肢とに基づいて、判定データ記憶部７５から判定データを抽出する。
蓄積処理部４９は、抽出した判定データを、撮影画像の撮影日時に対応付けて蓄積データ記憶部６３に記憶させる。
分析部５０は、蓄積処理部４９によって蓄積データ記憶部６３に記憶された複数の判定データを分析する。分析部５０は、複数の判定データを時系列に並べて、判定データの変化を分析することもできる。
情報出力部５１は、分析部５０による分析結果に基づいて、提供データ記憶部７６から提供データを抽出し、タッチパネルディスプレイ６５に出力する。提供データは、判定データに対応する判定対応データであり、例えば、健康状態に対するアドバイスデータ等のユーザに提供する有益なデータである。
なお、これらの各機能の詳細については、後述する。
【００２４】
記憶部６０は、携帯端末４の動作に必要なプログラム、データ等を記憶するための半導体メモリ素子等の記憶装置である。
なお、コンピュータとは、制御装置、記憶装置等を備えた情報処理装置をいい、携帯端末４は、制御部４０、記憶部６０等を備えた情報処理装置であり、コンピュータの概念に含まれる。
記憶部６０は、プログラム記憶部６１と、基本データ記憶部６２と、蓄積データ記憶部６３とを備える。
プログラム記憶部６１は、各種のプログラムを記憶する記憶領域である。プログラム記憶部６１は、検査アプリ６１ａを記憶している。
検査アプリ６１ａは、例えば、アプリ配信サーバ（図示せず）からダウンロードすることで、記憶することができる。検査アプリ６１ａは、上述した制御部４０の各機能を実行するためのプログラムである。そして、検査アプリ６１ａは、尿検査紙１ａに関する処理をするため、色補正用カラーチャート２１の基準色のデータである色補正基準色データを有する。また、検査アプリ６１ａは、尿検査紙１ａに関する処理をするため、変化する試験紙１２〜１４の色と、その色が示す測定値とのデータである検査結果基準色データを有する。
【００２５】
基本データ記憶部６２は、この携帯端末４で健康状態を把握するペットに関する基本データを記憶する記憶領域である。基本データは、例えば、ペットの名前、ペットの種類、性別、年齢、体重等である。
蓄積データ記憶部６３は、判定データを蓄積するための記憶領域である。また、蓄積データ記憶部６３は、質問内容に対してユーザが回答した最新の選択肢を記憶する。
タッチパネルディスプレイ６５は、液晶パネル等で構成される表示部としての機能と、ユーザの指等によるタッチ入力を検出する入力部としての機能とを有する。
カメラ６６は、尿検査紙１を撮影するための撮影装置である。
フラッシュ部６７は、光を出力する光源装置である。
タイマ部６８は、時間を計測する装置である。
通信インタフェース部６９は、通信ネットワークＮを介して、例えば、情報提供サーバ７や、上述したアプリ配信サーバ等との通信を行うためのインタフェースである。
【００２６】
情報提供サーバ７は、各種データを記憶するデータサーバである。
情報提供サーバ７は、制御部７０と、記憶部７２と、通信インタフェース部７９とを備える。
制御部７０は、情報提供サーバ７の全体を制御するＣＰＵである。制御部７０は、記憶部７２に記憶されているＯＳや、各種のアプリケーションプログラムを適宜読み出して実行することにより、上述したハードウェアと協働し、各種機能を実行する。
記憶部７２は、情報提供サーバ７の動作に必要なプログラム、データ等を記憶するためのハードディスク、半導体メモリ素子等の記憶装置である。
【００２７】
記憶部７２は、問診データ記憶部７４と、判定データ記憶部７５と、提供データ記憶部７６とを備える。
問診データ記憶部７４は、質問内容と複数の選択肢とからなる問診データを記憶する。
判定データ記憶部７５は、１以上の質問内容に対応する選択肢及び測定データの組合せと、判定データとを対応付けて記憶する。
提供データ記憶部７６は、判定データと、提供データとを対応付けて記憶する。
なお、記憶部７２の具体的な内容については、後述する。
通信インタフェース部７９は、通信ネットワークＮを介して、例えば、携帯端末４との通信を行うためのインタフェースである。
【００２８】
＜検査処理＞
次に、検査装置９を使用して行う尿検査について説明する。
図５は、本実施形態に係る検査装置９を用いた尿検査の流れを説明するための図である。
図６は、本実施形態に係る携帯端末４での表示例を示す図である。
図７は、本実施形態に係る携帯端末４の尿検査処理を示すフローチャートである。
図８及び図９は、本実施形態に係る携帯端末４の色判定処理を示すフローチャートである。
【００２９】
図５のステップＳ（以下、単に「Ｓ」という。）１において、ユーザは、ペットの尿を採取する。ユーザは、どのような方法によって尿を採取してもよく、例えば、採尿するための器具である、例えば、採尿器を用いてペットの尿を採取してもよいし、尿を吸い取るシート等を用いてペットの尿を採取してもよい。
次に、Ｓ２において、ユーザは、携帯端末４を操作し、例えば、タッチパネルディスプレイ６５に表示されている検査アプリ６１ａを起動させるアイコン（図示せず）を選択することで、検査アプリ６１ａを実行させる。そして、ユーザは、図示しないメニュー画面を操作して、携帯端末４のタッチパネルディスプレイ６５に、撮影開始のためのスタートボタンが表示されたスタート画面８０を表示させる。
図６（Ａ）は、携帯端末４に表示されたスタート画面８０の例を示す。スタート画面８０は、ペット情報表示部８０ａと、ボタン部８０ｂとを有する。ペット情報表示部８０ａは、例えば、ペットの名前、ペットの写真や、属性情報等、対象になるペットに関する情報を表示する。ボタン部８０ｂは、尿検査紙１の撮影を開始させるためのスタートボタンである。
【００３０】
図５に戻り、Ｓ３において、ユーザは、尿検査紙１を準備する。尿検査紙１は、湿気や光に触れることによる品質劣化を防ぐため、光を遮り、乾燥された、例えば、アルミニウム製の保管袋（遮光部材）の中に保管されている。そして、ユーザは、保管の袋の中から尿検査紙１を１枚取り出す。
なお、尿検査紙１は、保管袋に保管するものの他、検査領域１０を、アルミニウム製のシート（遮光部材）によって覆っているものであってもよい。その場合には、ユーザは、尿検査紙１の検査領域１０を覆うシートを剥がす。
Ｓ４において、ユーザは、準備した尿検査紙１の試験紙１２〜１４に、Ｓ１で採取した尿を付着させる。
【００３１】
Ｓ５において、ユーザは、尿を付着させた尿検査紙１の上に、撮影ボックス３を配置する。ここで、ユーザは、撮影ボックス３を、尿検査紙１のボックス載置線２９に合わせて、カメラ６６が検査領域１０等を撮影可能にする所定の向きで載置する。
Ｓ６において、ユーザは、撮影ボックス３の上に、携帯端末４を配置する。ここで、ユーザは、携帯端末４のカメラ６６及びフラッシュ部６７が貫通穴３２にセットされるように、携帯端末４を載置する。
Ｓ７において、ユーザは、携帯端末４のタッチパネルディスプレイ６５に表示されたスタート画面８０のボタン部８０ｂ（図６（Ａ）参照）を選択する。これにより、携帯端末４は、尿検査紙１の撮影を開始することができる。
なお、ユーザは、Ｓ２の処理を、Ｓ６までの間に行えばよい。しかし、Ｓ４の処理以降、試験紙１２〜１４の変色度合いを撮影する必要があるため、早急に行う必要があり、Ｓ２の処理は、なるべく早めに行っておくことが望ましい。
【００３２】
Ｓ７の処理の後の携帯端末４での処理について、図７に基づき説明する。
図７のＳ１０において、携帯端末４の制御部４０（撮影処理部４１、画像取得部４２）は、カメラ６６による撮影を実行させて、カメラ６６が撮影した撮影画像を取得する。
Ｓ１１において、制御部４０（撮影処理部４１）は、タイマ部６８を起動させて時間計測を開始する。そして、制御部４０は、タッチパネルディスプレイ６５に、待ち画面８１を表示させる。図６（Ｂ）は、待ち画面８１の例を示す。待ち画面８１は、経過表示部８１ａを有する。経過表示部８１ａは、タイマ部６８による計測開始してから、次に画像を撮影するまでの時間を示す。
【００３３】
図７に戻り、Ｓ１２において、制御部４０（画像補正部４３）は、画像補正処理を行う。画像補正処理として、制御部４０は、撮影画像からマーク２８を認識し、認識したマーク２８の位置に基づいて撮影画像を補正する。この補正によって、補正した撮影画像（以下、補正画像という。）は、検査領域１０及びチャート領域２０を含み、試験紙１２〜１４と、色補正用カラーチャート２１又は判定用カラーチャート２２〜２４の位置を把握できる。なお、制御部４０は、補正するのに用いた補正情報を、記憶部６０に記憶させる。このようにすることで、制御部４０は、この検査アプリ６１ａが実行中に撮影画像を複数回取得した場合に、この補正情報を使用することで撮影画像を簡単に補正できる。
Ｓ１３において、制御部４０（色判定部４４、測定取得部４５）は、補正画像から試験紙１２，１３の色を判定して、測定データを取得する色判定処理を行う。
【００３４】
ここで、尿検査紙１ａを用いた場合の色判定処理を、図８に基づいて説明する。
図８のＳ３０において、制御部４０は、補正画像に含まれるチャート領域２０を認識し、色補正用カラーチャート２１を検出する。
Ｓ３１において、制御部４０は、予め検査アプリ６１ａに記憶された色補正基準データと、検出した色補正用カラーチャート２１とを比較し、補正式を作成する。具体的には、制御部４０は、色補正用カラーチャート２１の色を、色補正基準データの色に一致させるための値を算出する。
Ｓ３２において、制御部４０は、補正式を用いて、補正画像に含まれる検査領域１０の色を補正する。
Ｓ３３において、制御部４０は、予め検査アプリ６１ａに記憶された検査結果基準色データと、補正した検査領域１０のうち対象の試験紙１２〜１４の色とを比較し、最も近い値の検査結果基準色データが示す測定値を、測定データとする。その後、制御部４０は、本処理を終了し、処理を図７に移す。
【００３５】
次に、尿検査紙１ｂを用いた場合の色判定処理を、図９に基づいて説明する。
図９のＳ４０において、制御部４０は、補正画像に含まれるチャート領域２０を認識し、判定用カラーチャート２２〜２４を検出する。
Ｓ４１において、制御部４０は、補正画像に含まれる検査領域１０のうち対象の試験紙１２〜１４の色と、対象の試験紙１２〜１４に対応する判定用カラーチャート２２〜２４の色とを比較し、最も近い判定用カラーチャート２２〜２４の色の位置を特定する。
Ｓ４２において、制御部４０は、特定した位置に対応した測定値を、測定データとする。ここで、制御部４０は、最も近い判定用カラーチャート２２〜２４の色の位置から、測定値を決定してもよいし、最も近い判定用カラーチャート２２〜２４の色の順番から、測定値を決定してもよい。その後、制御部４０は、本処理を終了し、処理を図７に移す。
【００３６】
図７に戻り、Ｓ１４において、制御部４０（撮影処理部４１）は、タイマ部６８の計測時間が、特定時間（例えば、６０秒）になったか否かを判断する。特定時間になった場合（Ｓ１４：ＹＥＳ）には、制御部４０は、処理をＳ１５に移す。他方、特定時間になっていない場合（Ｓ１４：ＮＯ）には、制御部４０は、特定時間になるまで本処理に留まる。その際、制御部４０は、待ち画面８１（図６（Ｂ）参照）の経過表示部８１ａを、更新して表示する。
Ｓ１５において、制御部４０（撮影処理部４１、画像取得部４２）は、カメラ６６による撮影を実行させて、撮影画像を取得する。
Ｓ１６において、制御部４０（画像補正部４３）は、撮影画像に対して記憶部６０に記憶させた補正情報を反映させて、補正画像を生成する。そして、制御部４０（色判定部４４、測定取得部４５）は、補正画像から試験紙１４の色を判定して、測定データを取得する色判定処理を行う。色判定処理は、上述した図８，９の処理と同様である。
Ｓ１７において、制御部４０は、測定データを含む測定結果画面８２を、タッチパネルディスプレイ６５に出力する。図６（Ｃ）は、タッチパネルディスプレイ６５に表示された測定結果画面８２の例を示す。測定結果画面８２は、測定値表示部８２ａと、ボタン部８２ｂとを含む。測定値表示部８２ａは、各項目の測定値を、数値で表示すると共に、測定値に対応した健康状態を、アイコンによって分かりやすく表示する。ボタン部８２ｂは、後述する情報提供処理を行うためのボタンである。
その後、制御部４０は、本処理を終了する。
【００３７】
＜情報提供処理＞
次に、尿検査後に検査システム１００で行う処理について説明する。
図１０は、本実施形態に係る検査システム１００の情報提供処理を示すフローチャートである。
図１１は、本実施形態に係る問診データ９０の例及び携帯端末４での表示例を示す図である。
図１２は、本実施形態に係る情報提供サーバ７の記憶部７２の例を示す図である。
この情報提供処理は、図７に示した尿検査処理の後に実行される。具体的には、ユーザによって携帯端末４に表示された測定結果画面８２のボタン部８２ｂが選択されることで、携帯端末４は、本処理を開始する。
【００３８】
図１０のＳ５０において、携帯端末４の制御部４０は、尿検査に関する問診データの要求を、情報提供サーバ７に対して送信する。ここで、制御部４０は、尿検査に関する問診データの要求として、ペットの属性と、測定対象を特定する情報（この例では、尿検査）とを含む要求データを送信する。なお、尿検査とは異なる他の検査を行った場合には、その検査対象に関する問診データの要求を、情報提供サーバ７に対して送信する。
Ｓ６０において、情報提供サーバ７の制御部７０は、携帯端末４から尿検査に関する問診データの要求を受信したことに応じて、問診データ記憶部７４に記憶され、該当のペットの属性に対応した尿検査に関する問診データを抽出して送信する。
【００３９】
Ｓ５１において、携帯端末４の制御部４０は、情報提供サーバ７から問診データを受信する。
図１１（Ａ）は、情報提供サーバ７から受信した問診データ９０（９０ａ，９０ｂ，９０ｃ，・・・）の例を示す。問診データ９０は、質問内容を識別する質問コードと、質問内容と、複数の選択肢とが対応付けられたデータである。
そして、制御部４０（問診処理部４７）は、問診処理を行う。制御部４０は、例えば、携帯端末４が受信した複数の問診データ９０から、１つの問診データ９０を出力する。
図１１（Ｂ）は、問診データ画面８３の例を示す。問診データ画面８３は、質問部８３ａと選択部８３ｂと、ボタン部８３ｃとを備える。質問部８３ａは、１つの問診データの質問内容を出力したものである。選択部８３ｂは、質問部８３ａに出力された質問内容に対する選択肢を出力したものである。選択部８３ｂは、ユーザにより１つの選択肢を選択可能になっている。ボタン部８３ｃは、次に進めるためのボタンである。
【００４０】
ユーザは、選択部８３ｂに表示された問診内容に対する１つの選択肢を、複数の選択肢から選択する。
そして、制御部４０は、ボタン部８３ｃの選択を受け付けることで、複数の問診データ９０を、順番に出力し、ユーザにより選択された１つの選択肢を受け付ける。
なお、以前に同じユーザが選択した選択肢を、質問内容に対応付けて記憶部６０に記憶しておき、問診データ画面８３は、予め、ユーザが直近に回答した選択肢を、選択された状態に反映させておいてもよい。
【００４１】
図１０に戻り、Ｓ５２において、制御部４０（判定抽出部４８）は、質問内容ごとに、受け付けた１つの選択肢と、測定データとを含む判定要求データを、情報提供サーバ７に対して送信する。
Ｓ６１において、情報提供サーバ７の制御部７０は、受信した判定要求データに基づいて、判定データ記憶部７５から判定データを抽出する。そして、制御部７０は、抽出した判定データを、携帯端末４に送信する。
図１２（Ａ）及び（Ｂ）は、判定データ記憶部７５に記憶された判定データの例を示す図である。
図１２（Ａ）は、腎機能を判定するための判定データであり、例えば、「水を飲む量」という質問内容に関する３つの選択肢と、ｐＨの測定データとに対する判定データが、「○」、「△」、「×」という３つの記号で示されている。
また、図１２（Ｂ）は、泌尿器疾患を判定するための判定データであり、例えば、「行動」という質問内容に関する３つの選択肢と、ぶどう糖の測定データとに対する判定データが、「○」、「△」、「×」という３つの記号で示されている。
【００４２】
図１０に戻り、Ｓ５３において、制御部４０（蓄積処理部４９）は、情報提供サーバ７から判定データを受信し、蓄積データ記憶部６３に記憶させる。
Ｓ５４において、制御部４０（分析部５０）は、蓄積データ記憶部６３に記憶された判定データを分析する。制御部４０は、例えば、１回の尿検査によって測定した測定データに基づく判定データから、健康状態を把握する。
Ｓ５５において、制御部４０は、分析結果データを情報提供サーバ７に送信する。
Ｓ６２において、情報提供サーバ７の制御部７０は、受信した分析結果データに基づいて、提供データ記憶部７６から該当の提供データを抽出して、携帯端末４に送信する。その後、制御部７０は、本処理を終了する。
【００４３】
図１２（Ｃ）は、提供データ記憶部７６に記憶された提供データの例を示す図である。この例では、腎機能と、泌尿器疾患との判定データに基づく提供データを記憶している。この例の提供データは、健康状態に対するアドバイスデータである。
図１０に戻り、Ｓ５６において、携帯端末４の制御部４０（情報出力部５１）は、受信した提供データを、タッチパネルディスプレイ６５に出力する。
その後、制御部４０は、本処理を終了する。
【００４４】
このように、本実施形態によれば、検査システム１００は、以下のような効果がある。
（１）検査装置９は、尿検査紙１と撮影ボックス３と、携帯端末４とを備え、尿検査紙１の上に撮影ボックス３を載置し、載置した撮影ボックス３に携帯端末４を載置して、尿検査紙１を撮影する。撮影ボックス３を用いることで、撮影環境を均一にすることができる。また、携帯端末４を撮影ボックス３に載置するので、携帯端末４が固定され、複数回の撮影でも、同じ位置で撮影が可能にできる。
（２）撮影ボックス３に貫通穴３２を備えることで、携帯端末４のカメラ６６及びフラッシュ部６７の位置を貫通穴３２に合わせやすくできる。
（３）貫通穴３２をフィルム３３で覆うことで、フラッシュ部６７が発する光を拡散させることができる。
【００４５】
（４）尿検査紙１は、検査領域１０と、チャート領域２０とを備える。そして、尿検査紙１ａは、チャート領域２０に、色補正用カラーチャート２１を有する。よって、携帯端末４は、色補正用カラーチャート２１と、予め記憶された色補正基準色データを用いることによって、検査領域１０の色を判定でき、試験紙１２〜１４の色に対応する測定値を求めることができる。
（５）尿検査紙１ｂは、チャート領域２０に、判定用カラーチャート２２〜２４を有する。よって、携帯端末４は、検査領域１０の試験紙１２〜１４の色と判定用カラーチャート２２〜２４の色との比較によって、試験紙１２〜１４の色に対応する測定値を求めることができる。
（６）尿検査紙１は、少なくとも検査領域１０の試験紙１２〜１４をアルミニウム等の遮光部材で覆うことによって、その品質を保持できる。
【００４６】
（７）尿検査紙１の試験紙１２〜１４は、測定タイミングが異なるものであっても、携帯端末４で時間を測定することで、携帯端末４は、測定に最適なタイミングで尿検査紙１を撮影できる。
（８）携帯端末４は、尿検査紙１のマーク２８を用いて撮影画像を補正することで、最適な状態で、検査領域１０及びチャート領域２０を認識できる。
【００４７】
（９）携帯端末４は、測定データと、問診結果とに基づいて、提供データを抽出するので、測定データだけでなく、問診結果をあわせて判断した健康状態に関する提供データを、ユーザに提供できる。
（１０）携帯端末４は、尿検査紙１を撮影した撮影画像を用いて測定データを取得するので、尿検査紙１を撮影すればよく、簡単に測定データを取得できる。
（１１）問診データや提供データは、ペットの属性ごとに有するため、犬、猫等、各ペットの特性に合った問診を行うことができ、各ペットにあった情報を提供できる。
【００４８】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４９】
（変形形態）
（１）本実施形態では、尿検査による測定データと、問診の回答とに基づいて、健康状態を推定するものを例に説明したが、これに限定されない。例えば、病院で測定した血液検査の結果データ等をさらに加えて、健康状態を推定してもよい。その場合には、例えば、情報提供サーバに、ペットごとに状態データを記憶する状態データ記憶部を備え、対象のペットの状態データを受信して分析に使用するようにすればよい。
また、尿検査による測定データに代えて、他のデータを測定データとしてもよい。例えば、携帯端末に有するマイクから音声データを取得して、音声データを測定データとして、問診の回答とあわせて健康状態を推定してもよい。
さらに、他の装置によって取得した測定データを受信してもよく、例えば、携帯端末と通信可能なセンサを、ペットに装着させて、ペットの心拍に関するデータや、加速度センサによる歩くテンポのデータ等を取得して、そのデータを用いてもよい。
さらにまた、複数の測定データを用いてもよい。
【００５０】
（２）本実施形態では、尿検査として、ｐＨ、タンパク質、ブドウ糖を検査するものを例に説明したが、これに限定されない。例えば、他の項目を加えてもよいし、例とした検査項目のうち、いずれかがなくてもよい。また、尿検査に限定するものではなく、生体から採取可能な、例えば、涙、唾液等の他の体液による検査をするものであってもよい。その場合には、例えば、携帯端末で、検査対象を選択できるようにしておき、検査対象に関連する問診データを、問診データ記憶部から取得するようにすればよい。また、各検査紙に検査対象を表すマークを印刷しておき、携帯端末でマークを読み取ることで、検査対象に関する問診データを、問診データ記憶部から取得してもよい。
【００５１】
（３）本実施形態では、提供データは、健康状態に対するアドバイスデータであるとして説明したが、これに限定されない。提供データは、例えば、健康状態から既に罹っていると思われる病気を推測し、その病気の専門医がいる病院を紹介する紹介データ等であってもよい。その場合には、ユーザの住所等を予め登録しておくことで、ユーザの居住地に近い病院を優先的に出力するようにしてもよい。
また、提供データは、例えば、健康状態から罹りやすい病気等を推測等して健康度合を数値として算出し、算出した健康度合に基づく保険料の情報であってもよい。この場合、健康度合の数値が小さい、つまり、健康である場合には、算出した保険料を低額にしたものにしてもよい。また、提供データは、罹りやすい病気から選定したユーザに適した保険プランの情報であってもよい。
さらに、提供データは、例えば、健康状態に対応し、健康に関連した広告データであってもよいし、健康に関連したクーポンデータであってもよい。
【００５２】
（４）本実施形態では、１回の測定データ及び問診結果に基づいて、提供データを決定するものを例に説明したが、これに限定されない。例えば、複数回の測定データ及び問診結果を分析して、測定値と問診結果の傾向から提供データを決定してもよい。そのようにすることで、ユーザにより有用な情報を提供できる可能性がある。
（５）本実施形態では、ペットの健康状態を把握するものを例に説明したが、これに限定されない。ペット以外の動物や、人に用いてもよい。
【符号の説明】
【００５３】
１    尿検査紙
３    撮影ボックス
４    携帯端末
１０  検査領域
１２，１３，１４  試験紙
２０  チャート領域
２１  色補正用カラーチャート
２２，２３，２４  判定用カラーチャート
３２  貫通穴
３３  フィルム
４０  制御部
４１  撮影処理部
４３  画像補正部
４４  色判定部
４５  測定取得部
４７  問診処理部
４８  判定抽出部
４９  蓄積処理部
５０  分析部
５１  情報出力部
６０  記憶部
６１ａ  検査アプリ
６３  蓄積データ記憶部
６５  タッチパネルディスプレイ
６６  カメラ
６７  フラッシュ部
６８  タイマ部
７０  制御部
７４  問診データ記憶部
７５  判定データ記憶部
７６  提供データ記憶部
１００  検査システム
【図１】
2018156123.tif 000003
【図２】
2018156123.tif 000004
【図３】
2018156123.tif 000005
【図４】
2018156123.tif 000006
【図５】
2018156123.tif 000007
【図６】
2018156123.tif 000008
【図７】
2018156123.tif 000009
【図８】
2018156123.tif 000010
【図９】
2018156123.tif 000011
【図１０】
2018156123.tif 000012
【図１１】
2018156123.tif 000013
【図１２】
2018156123.tif 000014